(57)【要約】【課題】  小型で使い勝手のよい画像読取装置を提供することを目的とする。【解決手段】  原稿が下向きに載置される透明な原稿台と、該原稿台の端縁に開閉自在に支持されたヒンジを有し該原稿台上に載置された原稿を上から押さえるプラテンクッションアッシィ１３と、原稿台上に載置された原稿を該原稿台を挟んだ位置から読み取る原稿読取部とを備えた画像読取装置において、シート１９と、ベースプレート２０とを有するプラテンクッションアッシィ１３の、原稿台に接する押さえ面１５に、シート１９とベースプレート２０との間にスペーサ２２を挟むことにより、原稿台に向かって突起した突起部１６を形成した。【選択図】        図３
2007010990.tif 000002
【特許請求の範囲】
【請求項１】
原稿が下向きに載置される透明な原稿台と、該原稿台の端縁に開閉自在に支持されたヒンジを有し該原稿台上に載置された原稿を上から押さえる押さえ板と、前記原稿台上に載置された原稿を該原稿台を挟んだ位置から読み取る原稿読取部とを備えた画像読取装置において、
前記押さえ板の、前記原稿台に接する押さえ面に、該原稿台に向かって突起した突起部を有することを特徴とする画像読取装置。
【請求項２】
前記原稿台および前記押さえ板は、該原稿台に載置される最大サイズの原稿よりも大きいサイズを有するものであり、
前記突起部が、前記最大サイズの原稿の載置領域よりも外側に設けられていることを特徴とする請求項１記載の画像読取装置。
【請求項３】
前記突起部が、前記押さえ面の、前記ヒンジ側とは反対側の端縁近傍に設けられていることを特徴とする請求項１記載の画像読取装置。
【請求項４】
前記押さえ板は、前記原稿台に接する側から順に、シートと、該シートよりも硬質のベースプレートと、クッション材とを有し、前記突起部は、前記シートと前記ベースプレートとの間にスぺーサを挟むことにより形成されたものであることを特徴とする請求項１記載の画像読取装置。
【発明の詳細な説明】
【技術分野】
【０００１】
本発明は、複写機やファクシミリなどに用いられる画像読取装置に関する。
【背景技術】
【０００２】
複写機やファクシミリなどに用いられる画像読取装置には、原稿を自動的に搬送する自動原稿送り装置付きのタイプのものが多いが、このタイプの画像読取装置では、自動原稿送り装置に原稿をセットして自動的に画像を読み取る自動読取モードと、自動原稿送り装置を用いずにオペレータが、原稿押さえ板を兼ねた自動原稿送り装置を開き、原稿台のガラス面上に原稿を直接載せた後、自動原稿送り装置を閉じて画像を読み取るマニュアルモードのいずれかのモードを選択することができるようになっている。
【０００３】
このマニュアルモードでの画像読取り時に、特にカラー原稿の場合は、原稿を原稿台のガラス面に密着させて画像情報を確実に読み取る必要があり、そこで、ガラス面上に載置された原稿を上から押さえる押さえ板に柔軟性を付与するために、押さえ板の原稿側の面に発泡性のクッション材および柔軟性を有する圧接シートを貼り付けた構成の押さえ板が広く用いられている。
【０００４】
しかし、押さえ板の表面は平らに形成されているため、原稿台のガラス面上に原稿が存在しないときには、押さえ板がガラス面に密着（空気密着）して離れにくくなり、押さえ板を開く時に異常に大きい操作力を必要としたり、場合によっては押さえ板の構成部材であるクッション材や圧接シートが剥がれたり破損したりすることがある。
【０００５】
そこで、押さえ板の、ガラス面に対向する部分に設けられた圧接シートの、押さえ板開閉端部に、原稿台のガラスの縁よりも外方に突出する突出部を設け、かつ該突出部と対向する原稿台のガラスの縁と原稿台本体部の縁との間に、外部に通じる隙間部を備えた画像読取装置が開示されている（例えば、特許文献１参照。）。
【特許文献１】特開平１１−３５５５２５号公報（第１−３頁、図１）
【発明の開示】
【発明が解決しようとする課題】
【０００６】
上記特許文献１の画像読取装置では、上記の隙間部に外部の空気が常時流出入するので、圧接シートのガラスへの密着性が他の部分よりも弱まるという効果が期待される。
【０００７】
しかし、この画像読取装置では、押さえ板のサイズを原稿読取りガラスのサイズよりも大きくしなければならないという問題があり、最近の画像読取装置における装置の小型化という課題の観点からは好ましい解決法とはいえない。
【０００８】
本発明は、上記事情に鑑み、小型で使い勝手のよい画像読取装置を提供することを目的とする。
【課題を解決するための手段】
【０００９】
上記目的を達成する本発明の画像読取装置は、
原稿が下向きに載置される透明な原稿台と、該原稿台の端縁に開閉自在に支持されたヒンジを有し該原稿台上に載置された原稿を上から押さえる押さえ板と、上記原稿台上に載置された原稿を該原稿台を挟んだ位置から読み取る原稿読取部とを備えた画像読取装置において、
上記押さえ板の、上記原稿台に接する押さえ面に、該原稿台に向かって突起した突起部を有することを特徴とする。
【００１０】
本発明の画像読取装置によれば、上記のように、押さえ板の押さえ面に、原稿台に向かって突起した突起部を設けたことにより原稿台のガラス面と押さえ板のシート面との間に空間が形成され、原稿台のガラス面上に原稿が存在しないときにも、この空間に空気が自由に出入りできるので、押さえ板がガラス面に空気密着しにくくなる。従って、押さえ板を開く時に異常に大きい操作力を必要としたり、押さえ板の構成部材が破損したりすることが防止される。
【００１１】
ここで、上記原稿台および上記押さえ板は、該原稿台に載置される最大サイズの原稿よりも大きいサイズを有するものであり、上記突起部が、上記最大サイズの原稿の載置領域よりも外側に設けられているものであることが好ましい。
【００１２】
本発明の画像読取装置をこのように構成した場合は、最大サイズの原稿の載置領域よりも外側に突起部を設けられていることにより、原稿を均一に押さえる機能には影響を与えずに、押さえ板の開閉動作を改善することができて、使い勝手の良いオペレーションが可能となる。
【００１３】
また、上記突起部が、上記押さえ面の、上記ヒンジ側とは反対側の端縁近傍に設けられていることも好ましい態様の一つである。
【００１４】
本発明の画像読取装置をこのように構成した場合は、さらに使い勝手の良いオペレーションが可能となる。
【００１５】
また、上記押さえ板は、上記原稿台に接する側から順に、シートと、該シートよりも硬質のベースプレートと、クッション材とを有し、上記突起部は、上記シートと上記ベースプレートとの間にスぺーサを挟むことにより形成されたものであることも好ましい態様の一つである。
【００１６】
本発明の画像読取装置をこのように構成した場合は、使い勝手のよい画像読取装置を容易に得ることができる。
【発明の効果】
【００１７】
以上説明したように、本発明の画像読取装置によれば、小型で使い勝手のよい画像読取装置を実現することができる。
【発明を実施するための最良の形態】
【００１８】
以下図面を参照して本発明の画像読取装置の実施の形態を説明する。
【００１９】
図１は、本発明の画像読取装置の一実施形態を示す上面図であり、図２は、図１に示した画像読取装置の正面図である。
【００２０】
図１および図２に示すように、この画像読取装置１０は、自動原稿送り装置２３に原稿をセットして自動的に画像を読み取る自動読取モードと、自動原稿送り装置を用いずに、原稿台１１のガラス面上に原稿を直接載せた後、自動原稿送り装置２３を閉じて画像を読み取るマニュアルモードの２つのモードを有する画像読取装置であり、原稿が下向きに載置される透明な原稿台１１と、該原稿台の端縁に開閉自在に支持されたヒンジ１２を有し該原稿台１１上に載置された原稿を上から押さえるプラテンクッションアッシィ１３と、原稿台１１上に載置された原稿を該原稿台１１を挟んだ位置から読み取る原稿読取部１４とを有している。
【００２１】
なお、本実施形態におけるプラテンクッションアッシィ１３は、本発明にいう押さえ板の本体部分に相当するものである。
【００２２】
図３は、本実施形態におけるプラテンクッションアッシィ（押さえ板）の側面図であり、図４は、図３に示したプラテンクッションアッシィ（押さえ板）の上面図である。
【００２３】
図３に示すように、この実施形態におけるプラテンクッションアッシィ１３は、原稿台１１（図１、２参照）に接する側から順に、白色のシート１９と、該シート１９よりも硬質のベースプレート２０と、柔軟性を有するクッション材２１と、クッション材２１に両面テープ等で接着されたファスナ２６で構成されている。
【００２４】
このプラテンクッションアッシィ１３は、原稿読取部１４（図１、２参照）の原稿台に対向する側に接着されたファスナと接合され、これらファスナどうしによってプラテンクッションアッシィ１３と原稿読取部１４とが接離自在に一体化される。こうして一体化されたプラテンクッションアッシィ１３および原稿読取部１４は、原稿台１１の端縁に取り付けられたヒンジ１２（図１参照）により、原稿台１１に対して開閉自在に支持される。
【００２５】
シート１９は、原稿を原稿台１１のガラス面１１ａに押圧するものであり、読取り時の光が薄紙原稿を透過しても影響のでない色、一般的には白色系の色の、０．１ｍｍ〜０．２ｍｍ程度の厚さのＰＥＴ（ポリエチレンテレフタラート）フィルムが用いられる。
【００２６】
プラテンクッションアッシィとして、シートをクッション材に両面テープで接合した構成のものも用いられているが、本実施形態では、２つ折原稿及びＺ折原稿等の不均一原稿を使用した場合にも原稿をガラス面に均一に押さえることのできるように、シート１９とクッション材２１との間に０．５ｍｍ〜１．０ｍｍ程度の厚みを有するベースプレート２０を加えた構成となっており、べースプレート２０の自重だけでも原稿を均一に押さえられるようになっている。
【００２７】
プラテンクッションアッシィ１３の、原稿台１１に接する押さえ面１５には、原稿台１１に向かって突起した突起部１６を有している。この突起部１６は、上記シート１９と上記ベースプレート２０との間に厚さ０．５ｍｍ程度のスぺーサ２２を挟むことにより形成されている。
【００２８】
この画像読取装置１０の原稿台１１は、原稿台１１に載置される最大サイズの原稿２５よりも大きいサイズを有し、かつ、プラテンクッションアッシィ１３もまた原稿台１１に載置される最大サイズの原稿２５よりも大きいサイズを有しており、上記突起部１６は、最大サイズの原稿２５の載置領域１７よりも外側に設けられている。
【００２９】
また、この画像読取装置１０では、突起部１６が、上記押さえ面１５の、上記ヒンジ１２（図１参照）側とは反対側の端縁１８近傍に設けられている。
【００３０】
図５は、図３に示したプラテンクッションアッシィの端縁近傍に設けられた突起部の拡大図である。
【００３１】
図５に示したプラテンクッションアッシィ１３は、原稿台１１に接する側から順に、シート１９と、該シート１９よりも硬質のベースプレート２０と、クッション材２１とを有しており、プラテンクッションアッシィ１３の端縁近傍の原稿台１１に接する押さえ面１５には、シート１９とベースプレート２０との間にスぺーサ２２を挟むことにより形成された、原稿台１１に向かって突起した突起部１６を有している。
【００３２】
図３および図４に示したように、このプラテンクッションアッシィ１３は、ベースプレート２０上の複数箇所にクッション材２１を有しているが、クッション材２１は、このような形状のものだけではなく、ベースプレート２０の全面を覆う形状のものであってもよい。
【００３３】
図６は、ベースプレート全面を覆うクッション材を用いた場合の突起部の拡大図である。
【００３４】
図６に示すように、この場合のクッション材２１’はプラテンクッションアッシィ１３の端部まで延びているが、図５に示したと同様にシート１９とベースプレート２０との間に挟まれたスぺーサ２２により突起部１６が形成されている。
【００３５】
図６に示す構成は、ベースプレート２０の自重で原稿を確実に押さえることができるほどにベースプレート２０の厚みを確保できる場合に有効であり、装置の省スペース化に有利である。
【００３６】
次に、本発明における突起部の作用効果について説明する。
【００３７】
図７は、本実施形態における突起部の作用効果を示す図である。
【００３８】
本実施形態では、図５および図６に示すように、プラテンクッションアッシィ１３（押さえ板）の端縁のベースプレート２０とシート１９との間に挟まれたスペーサ２２によって突起部１６が形成されており、このプラテンクッションアッシィ１３（押さえ板）を、図７に示すように、原稿台１１のガラス面１１ａに押圧すると、ガラス面１１ａとシート１９との間に空間２７が形成される。
【００３９】
この空間２７が形成されることによって、原稿台１１のガラス面１１ａ上に原稿が存在しないときにも、この空間２７に空気が自由に出入りするので、プラテンクッションアッシィ１３がガラス面１１ａに空気密着することがなく、従って、押さえ板を開く時に異常に大きい操作力を必要としたり、プラテンクッションアッシィ１３の構成部材が破損したりすることが防止される。
【００４０】
また、このスペーサ２２は、最大サイズの原稿２５（図4参照）の載置領域１７よりも外側に設けられているので、押さえ板１３が原稿を均一に押さえる効果には全く影響を及ぼすことがない。
【図面の簡単な説明】
【００４１】
【図１】本発明の画像読取装置の一実施形態を示す上面図である。
【図２】図１に示した画像読取装置の正面図である。
【図３】本実施形態におけるプラテンクッションアッシィの側面図である。
【図４】図３に示したプラテンクッションアッシィの上面図である。
【図５】図３に示したプラテンクッションアッシィの端縁近傍に設けられた突起部の拡大図である。
【図６】ベースプレート全面を覆うクッション材を用いた場合の突起部の拡大図である。
【図７】本実施形態における突起部の作用効果を示す図である。
【符号の説明】
【００４２】
１０    画像読取装置
１１    原稿台
１１ａ    ガラス面
１２    ヒンジ
１３    プラテンクッションアッシィ
１４    原稿読取部
１５    押さえ面
１６    突起部
１８    端縁
１９    シート
２０    ベースプレート
２１，２１’    クッション材
２２    スぺーサ
２３    自動原稿送り装置
２５    原稿
２６    ファスナ
２７    空間
【図１】
2007010990.tif 000003
【図２】
2007010990.tif 000004
【図３】
2007010990.tif 000005
【図４】
2007010990.tif 000006
【図５】
2007010990.tif 000007
【図６】
2007010990.tif 000008
【図７】
2007010990.tif 000009